(57)【要約】【課題】  紐の取り付けが簡単にでき、見た目もよくデザイン的にも優れた紐付きメガホンを組み立てることができる紐取り付け具およびメガホンを提供する。【解決手段】  紐取り付け用貫通孔と開口部とが設けられ、弾性材料からなるＣ字形帯状リング１の一方の開口端に、開口部と略同寸法の連結片３がヒンジ２を介して取り付けられ、該帯状リングの他方の開口端と連結片の先端とには、相互に咬合可能な結合手段６、７が設けられ、メガホンの口元部と拡声部との境界部分に設けられた装着溝２３に、前記開口部を通して嵌め込まれた後に、前記結合手段により前記帯状リング１と連結片３とを連結することで、スリーブ状に装着可能なメガホン用紐取り付け具。およびこの紐取り付け具が装着されるメガホンであって、口元部と拡声部との境界部分に設けられた装着溝２３の底には、紐１０の結び目１１が収納可能な切り欠き形状部２４が設けられていることを特徴とするメガホン。【選択図】図６
0003158967.tif 000002
【実用新案登録請求の範囲】
【請求項１】
紐取り付け用貫通孔と開口部とが設けられ、弾性材料からなるＣ字形帯状リングの一方の開口端に、開口部と略同寸法の連結片がヒンジを介して取り付けられ、該帯状リングの他方の開口端と連結片の先端とには、相互に咬合可能な結合手段が設けられ、メガホンの口元部と拡声部との境界部分に設けられた装着溝に、前記開口部を通して嵌め込まれた後に、前記結合手段によりＣ字形帯状リングと連結片とを連結することで、スリーブ状に装着可能なメガホン用紐取り付け具。
【請求項２】
請求項１に記載のメガホン用紐取り付け具において、弾性材料としてプラスチックを用い、Ｃ字形帯状リングとヒンジと連結片とが、該プラスチックで一体化して成型されていることを特徴とするメガホン用紐取り付け具。
【請求項３】
請求項１もしくは２に記載のメガホン用紐取り付け具において、Ｃ字形帯状リングの開口端と連結片の先端とに設けられた相互に咬合可能な結合手段は、一方が突設された係止爪であり、他方が穿設された係止口であることを特徴とするメガホン用紐取り付け具。
【請求項４】
請求項１〜３のいずれか一項に記載のメガホン用紐取り付け具が装着されるメガホンであって、口元部と拡声部との境界部分に設けられた装着溝の底には、紐の結び目が収納可能な切り欠き形状部が設けられていることを特徴とするメガホン。
【請求項５】
請求項４に記載のメガホンにおいて、切り欠き形状部以外の装着溝の底には、紐が収納可能な細溝が設けられていることを特徴とするメガホン。
【請求項６】
請求項５に記載のメガホンにおいて、細溝の一部に堰を突設させたことを特徴とするメガホン。
【請求項７】
請求項１〜３のいずれか一項に記載のメガホン用紐取り付け具により、請求項４〜６のいずれか一項に記載のメガホンに紐が取り付けられていることを特徴とする紐付きメガホン。
【考案の詳細な説明】
【技術分野】
【０００１】
本考案はスポーツ競技の応援などに用いられるメガホンに関し、特に手に提げたり、首から吊り下げたりするための紐をメガホン本体に取り付けることのできる紐取り付け具に関する。
【背景技術】
【０００２】
野球などのスポーツ競技の応援で盛んに用いられるメガホンは、応援の声を拡声するだけでなく、ポリエチレンなどのプラスチック製のメガホンを打ちつけることで、打撃音を響かせて応援することが行われている。このようなプラスチック製のメガホンには、通常紐が取り付けられている。そして、多くは２個のメガホンを紐で繋ぎ、首から吊るし、２個のメガホン同士を打ち付けて応援することが行われている。
【０００３】
通常、プラスチック製メガホンへの紐の取り付けは、メガホンの口元部と拡声部との境界部付近の紐通し穴のある突設部を設け、その穴に紐を通して結びつけたり、口元部付近にメガホン筒体に穴を設け、その穴に紐を通して紐を取り付けたりすることで行われておいる（例えば特許文献１を参照）。
【０００４】
しかし、応援に際しては、メガホンの口元部と拡声部との境界部を握って行われるため境界部付近に紐装着用の突設部があると、メガホンを握ったときに違和感を感ずる。また、メガホン本体に紐通し穴を設けたものでは、ただ紐がついているだけで見た目の印象も良くなく、メガホンに声を吹き込んだ者の唾液が紐に移り、紐を濡らすこともあり好ましくなかった。このような問題を解決するために、口元部（吹き口）の内部に紐通し孔をつなぐ紐通し筒設け、この筒の中に紐を通すメガホンも提案されている（特許文献２を参照）。このようなメガホン本体を横断する筒を設けるには、メガホンの成型方法が複雑となり製造コストのアップに繋がり好ましくない。
【０００５】
このように、製造時に簡単に紐を取り付けることができ、見た目もよくデザイン的にも優れた応援用の紐付きメガホンはなく、このようなメガホンが望まれていた。
【先行技術文献】
【特許文献】
【０００６】
【特許文献１】特開２００７−５８１４３号公報
【特許文献２】特開２００７−１５６３７６号公報
【考案の概要】
【考案が解決しようとする課題】
【０００７】
本考案の課題は、紐の取り付けが簡単にでき、見た目もよくデザイン的にも優れた紐付きメガホンを組み立てることができる紐取り付け具およびメガホンを提供することである。
【課題を解決するための手段】
【０００８】
本考案のメガホン用紐取り付け具は、紐取り付け用貫通孔と開口部とが設けられ、弾性材料からなるＣ字形帯状リングの一方の開口端に、開口部と略同寸法の連結片がヒンジを介して取り付けられ、該帯状リングの他方の開口端と連結片の先端とには、相互に咬合可能な結合手段が設けられ、メガホンの口元部と拡声部との境界部分に設けられた装着溝に、前記開口部を通して嵌め込まれた後に、前記結合手段により、前記帯状リングと連結片とを連結することで、スリーブ状に装着可能な紐取り付け具である。
【０００９】
そして、弾性材料としてプラスチックが用いられ、Ｃ字形帯状リングとヒンジと連結片とが、このプラスチックで一体化して成型されていることを特徴とするメガホン用紐取り付け具であり、さらに、Ｃ字形帯状リングの開口端と連結片の先端とに設けられた相互に咬合可能な結合手段は、一方が突設された係止爪であり、他方が穿設された係止口であることも特徴とする。
【００１０】
また、上記のメガホン用紐取り付け具が装着されるメガホンであって、口元部と拡声部との境界部分に設けられた装着溝の底には、紐の結び目が収納可能な切り欠き形状部が設けられていることを特徴とするメガホンや、さらに、切り欠き形状部以外の装着溝の底には、紐が収納可能な細溝を設けたり、この細溝の一部に堰を突設させたりしたことを特徴とするメガホンも提供する。
【００１１】
そして、上記に記載のメガホン用紐取り付け具により、紐が取り付けられた紐付きメガホンも提供する。
【考案の効果】
【００１２】
本考案の紐取り付け具のＣ字形帯状リングは弾性材料からなっており、この帯状リングの開口部を通して、メガホンに設けた装着溝に嵌め込むに際して、開口部を広げることができるため、作業が簡単にできる。そして、開口部と連結片とは略同一寸法となっており、メガホンに嵌め込んだ後に結合手段を咬合することで、ねじなどを使用することなく、スリーブ状に装着することができる。さらに、結合手段を係止爪と係止口の組合せにすることで、より簡単な作業で、帯状リングと結合片とを確実に連結しスリーブ状に装着できる。さらには装着後、外すこともでき、脱着自在であり、紐の交換なども行うことができる。
【００１３】
また、弾性材料としてプラスチックを用いて、Ｃ字形帯状リングと、ヒンジと、連結片とをこのプラスチックで一体化して成型することで、本考案の紐取り付け具は簡単に多量生産することも可能である。プラスチックは適度の弾性を有するため、前記のようにメガホンへの脱着がスムーズにできだけでなく、スリーブ状に装着したものは、余分な紐通し用の穴や突設物がなく、見た目にもすっきりとした優れたデザインの紐付きメガホンに仕上げることができる。
【００１４】
また、本考案の紐取り付け具が装着されるメガホンに設けた装着溝に、紐の結び目を収納できる切り欠き形状部を設けることで、紐をＣ字形帯状リングに取り付けるのに、端部に結び目を作り、これをリングの内側になるようにして貫通孔に通したものが、容易に装着できる。さらには、装着溝の底に紐が収納可能な細溝を設けることで、装着溝全体に紐を通して確実に紐を取り付けることができる。そして、この細溝に突設された堰は、紐を押さえつける役割を果たし、紐をより強固に固定できる。
【図面の簡単な説明】
【００１５】
【図１】本考案の紐取り付け具の正面図、背面図および断面図である。
【図２】本考案の紐取り付け具の開口した状態と、連結片で開口部を閉じた状態とを示す説明図である。
【図３】本考案のメガホンの正面図である。
【図４】本考案のメガホンの装着溝の説明図である。
【図５】切り欠き形状部の他の形態の説明図である。
【図６】本考案の紐取り付け具によるメガホンへの紐の取り付け説明図である。
【図７】本考案の紐取り付け具による他の形態の紐の取り付け説明図である。
【考案を実施するための形態】
【００１６】
以下本考案の実施例を図により説明を行う。
【００１７】
図１において、Ａは本考案の紐取り付け具の正面図、Ｃは背面図であり、ＢはＸ−Ｘ線での断面図である。Ｃ字形帯状リング１には開口部４と紐取り付け用貫通孔５とが設けられており、開口部４の一方の開口端にはヒンジ２を介して、開口部４と略同寸法の連結片３が取り付けられている。開口部４の他方の開口端には係止爪６が設けられ、連結片３の先端には係止口７が設けられている。係止爪６と係止口７とは相互に咬合可能であり、Ｃ字形帯状リング１と連結片３とを連結する結合手段となっている。
【００１８】
図２において、ＤはＣ字形帯状リング１に紐１０が取り付けられ、開口部４が開いた状態を示し、Ｅは係止爪６と係止口７とを咬合させ、連結片３で開口部４を閉じた状態を示している。紐１０は先端を結び目１１としており、この結び目１１をリングの内側にして取り付けられている。状態Ｄで、開口部４からメガホンを入れ、嵌め込んだ後に、係止爪６と係止口７とを咬合させ、状態Ｅに示すようにＣ字形帯状リング１と連結片３とを連結する。図６はこの紐取り付け具のメガホンへの装着操作の説明図であり、Ｈは開口部４を開いた状態で紐取り付け具をメガホンの装着溝２３に嵌め込む前の状態を示し、Ｉは嵌め込んだ後に、Ｃ字形帯状リング１の開口部４を連結片３で閉じ、スリーブ状に装着した状態を示している。この場合、メガホンの装着溝２３には、切り欠き形状部２４が設けられているため、紐の結び目１１が収納され、紐取り付け具は容易にスリーブ状に装着することができる。
【００１９】
Ｃ字形帯状リング１は弾性材料からなっているため、紐取り付け具をメガホンの装着溝２３に嵌め込む際に、開口部４を広げることができる。さらに、係止爪６と係止口７とを咬合させた後は、Ｃ字形帯状リング１の弾性力で咬合状態を維持することができるし、連結片３を内側に押込むか、Ｃ字形帯状リング１を外側に引上げるかして咬合状態を外すこともできる。ヒンジ２は、連結片３を図２における開口部４が開いた状態Ｄと閉じた状態Ｅとに相互に遥動可能とする役割を担っている。
【００２０】
Ｃ字形帯状リング１に用いられる弾性材料としては、プラスチックの他、ゴム、竹、鋼材も使用可能ではあるが、適度な弾性を有し、本考案に好ましく適用できるのはプラスチックである。プラスチックは適度の弾性と可撓性を有しているため、開口部４を広げてメガホンに嵌め込む作業が容易であり、嵌め込み後の係止爪６と係止口７との咬合状態の維持も良好である。さらには、スリーブ状に装着したものの外観も綺麗である。プラスチックとして特に好ましいのは、ポリプロピレン、ポリエチレン（特に高密度ポリエチレン）が好ましい。これらのプラスチックは適度な弾性を有し、強度にも優れ本考案の弾性材料として好ましく、さらに、この材料を用いて作成したヒンジ２は繰り返し応力にもよく耐える。その他のプラスチックとしては、ポリアミド、ポリエチレンテレフタレート、ポリカーボネート、ポリ塩化ビニル、ポリスチレン、ポリメチルメタクリレートなども使用できる。
【００２１】
Ｃ字形帯状リング１と、ヒンジ２と、連結片３とを、それぞれ別個に作成し、図１で示したような形状に、接着剤などを使用してつなぎ合わせて、本考案の紐取り付け具を作成してもよいが、プラスチックを用いてＣ字形帯状リング１を成型する場合、射出成型法などによりヒンジ２と連結片３も同時に一体化して成型することが好ましい。この成型時に、紐取り付け用貫通孔５、係止爪６および係止口７も同時に成型することができ、成型後の穴あけ加工や切削加工を施すことなく紐取り付け具を作成することができる。
【００２２】
実施例では、相互に咬合可能な結合手段としては、係止爪６と係止口７との組合せとしたが、これに限定されることなく、両端とも鉤状として咬合させてもよく、その他周知の咬合可能な形状が適用できる。さらに実施例の係止口７は貫通孔としたが、窪み状のものでもよく、係止爪を受け入れ、咬合可能とできるものであればよい。
【００２３】
Ｃ字形帯状リング１に設けられる紐取り付け用貫通孔５の位置は特に限定されないが、貫通孔５と係止爪６との位置をつなぐ直線が、Ｃ字形帯状リング１の直径となるように設けることが好ましい。この位置にすることで、メガホンに取り付けた紐を引っ張ったときに、係止爪６が係止口７より外れる方向に働く力を小さくすることができる。また、開口部４の大きさは、装着するメガホンの大きさに応じて、嵌め込み易さを考慮して決めることができる。
【００２４】
図３は本考案の紐取り付け具が装着されるメガホン２０の正面図である。メガホン２０は拡声部２１と口元部２２とからなり、口元部２２から拡声部２１にかけては筒体の補強と手で持ったときの滑り防止のために筒体上にはリブが設けられている。そして、拡声部２１と口元部２２との境界部には装着溝２３が設けられており、この装着部２３に紐取り付け具が、図６または図7に示すようにして装着される。装着溝２３の底には、紐１０の結び目１１が収納可能な切り欠き形状部２４と、紐１０が収納可能な細溝２５が設けられている。
【００２５】
図４は図３の装着溝２３の拡大説明図であり、Ｇは装着溝２３近辺の拡大側面図で、ＦはＹ−Ｙ線での断面図である。装着溝２３の底に設けられた切り欠き形状部２４は矩形に切り取られた形状をしており、メガホン２０の筒体の対面する２ヶ所に設けられている。細溝２５は２ヶ所の切り欠き形状部２４の間をつなぐようにして設けられており、切り欠き形状部２４に接して堰２７が設けられている。図３や図４の例では、切り欠き形状部２４は矩形であるが、形状は特に限定されず図５に示すように円形切り欠き形状部２６であっても、その他の形状であっても紐の結び目１１が収納可能であればよく、さらには１ヶ所であってもよい。
【００２６】
図６は前記したように、紐取り付け具を図３のメガホンに装着する操作の説明図であり、この装着操作では紐の結び目１１は切り欠き形状部２４に収納され、スムーズな操作でスリーブ状に装着することができる。図７は紐の装着操作の別の形態を示しており、図７のＪに示すように紐の結び目１１を紐取り付け具の挿入場所の反対側の切り欠き形状部２４に収納し、紐１０を細溝２５に収納し、Ｃ字状帯状リング１と連結片３とを連結し、スリーブ状に装着することで、紐をメガホンにしっかりと取り付ける形態である。この形態ではさらに、前出の堰２７が紐１０に食い込み、メガホン２０と紐１０とをより強固に固定することができる。
【００２７】
これらの例では、ループ状紐の一端にメガホンをつけた例を示したが、紐の両端に結び目をつくり、同様な操作で両端に２個のメガホン取り付けることができる。このように２個のメガホンを取り付けたものは、首に吊り下げて持ち運んだり、応援に際して、２個のメガホンを拍子木のようにして打ち鳴らしたりするのに好適なものである。また紐はループ状にして取り付けたが、太い一本の紐でも本考案の紐取り付け具を用いて取り付けることができる。
【００２８】
この本考案のメガホン２０は、ポリエチレンなどのプラスチックを用いて、ブロー成型法などにより成型することができ、紐を取り付けるための孔を作るための後加工の必要がない。さらには本考案の紐取り付け具を用いての紐を取り付ける作業には、ネジ付け作業等がなく、嵌め込んで結合手段を咬合するだけでよく、紐付きメガホンが短時間かつ簡単にでき、生産性にも優れている。
【００２９】
さらに、本考案の紐取り付け具を用いて作成した、紐付きメガホンはデザインにも優れ、見た目にもスマートで綺麗なものであり、紐取り付け具を着色することもでき豊富なデザインが可能である。紐の交換も購入者が自由にでき、汚れたり、傷ついた紐を交換したり、応援する競技やチームに応じて、紐を交換することもできる。
【産業上の利用可能性】
【００３０】
以上のように、本考案の紐取り付け具やメガホンを用いて作成した紐付きメガホンは、スポーツ競技の応援などに用いられるメガホンに好ましく適用される。
【符号の説明】
【００３１】
１    Ｃ字形帯状リング
２    ヒンジ
３    連結片
４    開口部
５    紐取り付け用貫通孔
６    係止爪
７    係止口
１０  紐
１１  紐の結び目
２０  メガホン
２１  拡声部
２２  口元部
２３  装着溝
２４  切り欠き形状部(矩形)
２５  細溝
２６  切り欠き形状部（円形）
２７  堰
【図１】
0003158967.tif 000003
【図２】
0003158967.tif 000004
【図３】
0003158967.tif 000005
【図４】
0003158967.tif 000006
【図５】
0003158967.tif 000007
【図６】
0003158967.tif 000008
【図７】
0003158967.tif 000009